【手続補正書】
【提出日】平成19年1月19日(2007.1.19)
【手続補正１】
【補正対象書類名】明細書
【補正対象項目名】特許請求の範囲
【補正方法】変更
【補正の内容】
【特許請求の範囲】
【請求項１】  光源と、
前記光源からの光束を集光し、複数の中間光束に分割する第１の光学要素と、
前記第１の光学要素の光射出側に配置され、前記複数の中間光束を一種類の偏光光に変換する偏光変換素子と、前記中間光束を反射型変調装置上に重畳させる重畳レンズとを備えた第２の光学要素と、
前記第２の光学要素から射出された光を変調する唯一の反射型変調装置と、
前記第２の光学要素と前記反射型変調装置との間の光路上に配置され、前記第２の光学要素から射出された光を反射または透過させて前記反射型変調装置に到達させるとともに、前記反射型変調装置により変調された光を透過または反射させて投写光学系へ到達させる偏光選択素子と、
前記第２の光学要素と前記偏光選択素子との間に配置された平行化レンズと、を備え、
前記第２の光学要素から射出された複数の中間光束は、前記平行化レンズによって前記複数の中間光束が各々の中間光束の中心軸に対して略平行化された状態で、前記反射型変調装置上に重畳されてなることを特徴とするプロジェクタ。
【請求項２】  請求項１において、
前記第２の光学要素から射出される前記一種類の偏光光は、前記偏光選択素子に対してＰ偏光であることを特徴とするプロジェクタ。
【請求項３】  請求項１において、
前記偏光選択素子と前記投写光学系との間の光路上に、偏光板が設けられていることを特徴とするプロジェクタ。
【請求項４】  光源と、
前記光源からの光束を集光し、複数の中間光束に分割する第１の光学要素と、
前記第１の光学要素の光射出側に配置され、前記複数の中間光束を一種類の偏光光に変換する偏光変換素子と、前記中間光束を反射型変調装置上に重畳させる重畳レンズとを備えた第２の光学要素と、
前記第２の光学要素から射出された光から、時分割で複数の色光を生成する色光生成光学系と、
前記色光生成光学系によって生成された色光を変調する唯一の反射型変調装置と、
前記第２の光学要素と前記反射型変調装置との間の光路上に配置され、前記第２の光学要素から射出された光を反射または透過させて前記反射型変調装置に到達させるとともに、前記反射型変調装置により変調された光を透過または反射させて投写光学系へ到達させる偏光選択素子と、
前記第２の光学要素と前記偏光選択素子との間に配置された平行化レンズと、を備え、
前記第２の光学要素から射出された複数の中間光束は、前記平行化レンズによって前記複数の中間光束が各々の中間光束の中心軸に対して略平行化された状態で、前記反射型変調装置上に重畳されてなることを特徴とするプロジェクタ。
【請求項５】  請求項４において、
前記第２の光学要素から射出される前記一種類の偏光光は、前記偏光選択素子に対してＰ偏光であることを特徴とするプロジェクタ。
【請求項６】  請求項４において、
前記偏光選択素子と前記投写光学系との間の光路上に、偏光板が設けられていることを特徴とするプロジェクタ。
【請求項７】  光源と、
前記光源からの光束を集光し、複数の中間光束に分割する第１の光学要素と、
前記第１の光学要素の光射出側に配置され、前記複数の中間光束を一種類の偏光光に変換する偏光変換素子と、前記中間光束を反射型変調装置上に重畳させる重畳レンズとを備えた第２の光学要素と、
３色の色光をそれぞれ変調する３つの反射型変調装置と、
前記第２の光学要素から射出された光束を前記３色の色光に分離するとともに、前記３つの反射型変調装置によって変調された色光を合成する色光分離合成光学系と、
前記第２の光学要素と前記色光分離合成光学系との間の光路上に配置され、前記第２の光学要素から射出された光を反射または透過させて前記色光分離合成光学系に到達させるとともに、前記色光分離合成光学系により合成された光を透過または反射させて投写光学系へ到達させる偏光選択素子と、
前記第２の光学要素と前記偏光選択素子との間に配置された平行化レンズと、を備え、
前記第２の光学要素から射出された複数の中間光束は、前記平行化レンズによって前記複数の中間光束が各々の中間光束の中心軸に対して略平行化された状態で、前記反射型変調装置上に重畳されてなることを特徴とするプロジェクタ。
【請求項８】  請求項７において、
前記第２の光学要素から射出される前記一種類の偏光光は、前記偏光選択素子に対してＰ偏光であることを特徴とするプロジェクタ。
【請求項９】  請求項７において、
前記偏光選択素子と前記投写光学系との間の光路上に、偏光板が設けられていることを特徴とするプロジェクタ。
【請求項１０】  請求項７において、
前記色光分離合成光学系は、２つのダイクロイックプリズムを含むことを特徴とするプロジェクタ。
【請求項１１】  請求項７において、
前記色光分離合成光学系は、１つのクロスダイクロイックプリズムを含むことを特徴とするプロジェクタ。
【請求項１２】  請求項７において、
前記色光分離合成光学系は、くさび形ダイクロイックプリズムを含むことを特徴とするプロジェクタ。
【請求項１３】  光源と、
前記光源からの光束を集光し、複数の中間光束に分割する第１の光学要素と、
前記第１の光学要素の光射出側に配置され、前記複数の中間光束を一種類の偏光光に変換する偏光変換素子と、前記中間光束を反射型変調装置上に重畳させる重畳レンズとを備えた第２の光学要素と、
前記第２の光学要素から射出された光束を３色の色光に分離する色光分離光学系と、
前記色光分離光学系によって分離された前記色光を各々変調する３つの反射型変調装置と、
前記３つの反射型変調装置によって変調された色光を合成する色光合成光学系と、
前記色光分離光学系と前記色光合成光学系との間の光路上に配置され、前記色光分離光学系から射出された光を反射または透過させて各々の前記反射型変調装置に到達させるとともに、前記反射型変調装置により変調された光を透過または反射させて前記色光合成光学系へ到達させる３つの偏光選択素子と、
前記色分離光学系と前記偏光選択素子との間に各々配置された３つの平行化レンズと、を備え、
前記第２の光学要素から射出された複数の中間光束は、前記平行化レンズによって前記複数の中間光束が各々の中間光束の中心軸に対して略平行化された状態で、前記反射型変調装置上に重畳されてなることを特徴とするプロジェクタ。
【請求項１４】  請求項１３において、
前記第２の光学要素から射出される前記一種類の偏光光は、前記偏光選択素子に対してＰ偏光であることを特徴とするプロジェクタ。
【請求項１５】  請求項１３において、
前記偏光選択素子と前記投写光学系との間の光路上に、偏光板が設けられていることを特徴とするプロジェクタ。
【手続補正２】
【補正対象書類名】明細書
【補正対象項目名】００１０
【補正方法】変更
【補正の内容】
【００１０】
【課題を解決するための手段】
本発明第１のプロジェクタは、光源と、前記光源からの光束を集光し、複数の中間光束に分割する第１の光学要素と、前記第１の光学要素の光射出側に配置され、前記複数の中間光束を一種類の偏光光に変換する偏光変換素子と、前記中間光束を反射型変調装置上に重畳させる重畳レンズとを備えた第２の光学要素と、前記第２の光学要素から射出された光を変調する唯一の反射型変調装置と、前記第２の光学要素と前記反射型変調装置との間の光路上に配置され、前記第２の光学要素から射出された光を反射または透過させて前記反射型変調装置に到達させるとともに、前記反射型変調装置により変調された光を透過または反射させて投写光学系へ到達させる偏光選択素子と、前記第２の光学要素と前記偏光選択素子との間に配置された平行化レンズと、を備え、前記第２の光学要素から射出された複数の中間光束は、前記平行化レンズによって前記複数の中間光束が各々の中間光束の中心軸に対して略平行化された状態で、前記反射型変調装置上に重畳されてなることを特徴とする。
【手続補正３】
【補正対象書類名】明細書
【補正対象項目名】００１４
【補正方法】変更
【補正の内容】
【００１４】
本発明第２のプロジェクタは、光源と、前記光源からの光束を集光し、複数の中間光束に分割する第１の光学要素と、前記第１の光学要素の光射出側に配置され、前記複数の中間光束を一種類の偏光光に変換する偏光変換素子と、前記中間光束を反射型変調装置上に重畳させる重畳レンズとを備えた第２の光学要素と、前記第２の光学要素から射出された光から、時分割で複数の色光を生成する色光生成光学系と、前記色光生成光学系によって生成された色光を変調する唯一の反射型変調装置と、前記第２の光学要素と前記反射型変調装置との間の光路上に配置され、前記第２の光学要素から射出された光を反射または透過させて前記反射型変調装置に到達させるとともに、前記反射型変調装置により変調された光を透過または反射させて投写光学系へ到達させる偏光選択素子と、前記第２の光学要素と前記偏光選択素子との間に配置された平行化レンズと、を備え、前記第２の光学要素から射出された複数の中間光束は、前記平行化レンズによって前記複数の中間光束が各々の中間光束の中心軸に対して略平行化された状態で、前記反射型変調装置上に重畳されてなることを特徴とする。
【手続補正４】
【補正対象書類名】明細書
【補正対象項目名】００１６
【補正方法】変更
【補正の内容】
【００１６】
本発明第３のプロジェクタは、光源と、前記光源からの光束を集光し、複数の中間光束に分割する第１の光学要素と、前記第１の光学要素の光射出側に配置され、前記複数の中間光束を一種類の偏光光に変換する偏光変換素子と、前記中間光束を反射型変調装置上に重畳させる重畳レンズとを備えた第２の光学要素と、３色の色光をそれぞれ変調する３つの反射型変調装置と、前記第２の光学要素から射出された光束を前記３色の色光に分離するとともに、前記３つの反射型変調装置によって変調された色光を合成する色光分離合成光学系と、前記第２の光学要素と前記色光分離合成光学系との間の光路上に配置され、前記第２の光学要素から射出された光を反射または透過させて前記色光分離合成光学系に到達させるとともに、前記色光分離合成光学系により合成された光を透過または反射させて投写光学系へ到達させる偏光選択素子と、前記第２の光学要素と前記偏光選択素子との間に配置された平行化レンズと、を備え、前記第２の光学要素から射出された複数の中間光束は、前記平行化レンズによって前記複数の中間光束が各々の中間光束の中心軸に対して略平行化された状態で、前記反射型変調装置上に重畳されてなることを特徴とする。
【手続補正５】
【補正対象書類名】明細書
【補正対象項目名】００２１
【補正方法】変更
【補正の内容】
【００２１】
本発明第４のプロジェクタは、光源と、前記光源からの光束を集光し、複数の中間光束に分割する第１の光学要素と、前記第１の光学要素の光射出側に配置され、前記複数の中間光束を一種類の偏光光に変換する偏光変換素子と、前記中間光束を反射型変調装置上に重畳させる重畳レンズとを備えた第２の光学要素と、前記第２の光学要素から射出された光束を３色の色光に分離する色光分離光学系と、前記色光分離光学系によって分離された前記色光を各々変調する３つの反射型変調装置と、前記３つの反射型変調装置によって変調された色光を合成する色光合成光学系と、前記色光分離光学系と前記色光合成光学系との間の光路上に配置され、前記色光分離光学系から射出された光を反射または透過させて各々の前記反射型変調装置に到達させるとともに、前記反射型変調装置により変調された光を透過または反射させて前記色光合成光学系へ到達させる３つの偏光選択素子と、前記色分離光学系と前記偏光選択素子との間に各々配置された３つの平行化レンズと、を備え、前記第２の光学要素から射出された複数の中間光束は、前記平行化レンズによって前記複数の中間光束が各々の中間光束の中心軸に対して略平行化された状態で、前記反射型変調装置上に重畳されてなることを特徴とする。
【手続補正６】
【補正対象書類名】明細書
【補正対象項目名】００４７
【補正方法】変更
【補正の内容】
【００４７】
再び図１に戻って説明する。偏光選択素子２００の入射側には平行化レンズ１７０が配置されており、偏光選択素子２００に入射する複数の中間光束１２２を、各々の中心軸に対して略平行な光束に変換する機能を有している。一般に、偏光選択素子２００の偏光選択性能や反射型液晶装置３００の表示性能は、入射する光束に対して大きな角度依存性を有するため、偏光選択素子２００の入射側に平行化レンズ１７０を配置し、偏光選択素子２００や反射型液晶装置３００に入射する光束の入射角度を小さく抑え込むことが望ましい。尚、平行化レンズ１７０と偏光選択素子２００とを光学的に一体化すれば、平行化レンズ１７０と偏光選択素子２００との界面で生じる光損失を低減できるので、光利用効率の向上という点で効果的である。